(57)【特許請求の範囲】
【請求項１】
基部と、該基部の一側端側の上面に固定されたピラーと、該基部の該一側端側の側面を覆い上端部が該基部より上方に突出した側面板とを有する産業車両の該側面板の該上端部の裏面に下端部が当接し該ピラーの下端部を覆う産業車両用ピラーカバーであって、
直接又は間接的に前記基部に固定される固定部と該固定部と一体的に形成されかつ該固定部に対して弾性的に揺動する前記側面板の前記上端部の裏面に当接し前記ピラーの下端部を覆う被覆部とを有するカバー本体と、
前記被覆部と前記ピラーとの間に保持されて該被覆部を前記側面板の前記上端部の裏面に付勢する弾性部材と、
を備えていることを特徴とする産業車両用ピラーカバー。
【請求項２】
前記弾性部材は多孔質の有機弾性体である請求項１記載の産業車両用ピラーカバー。
【発明の詳細な説明】
【０００１】
【発明の属する技術分野】
本発明はフォークリフト、トラクター等の産業車両に用いられるピラーカバーに関する。
【０００２】
【従来の技術】
産業車両、例えばエンジン駆動型フォークリフトは一般に燃料タンクをフォークリフトの基部に設置している。この燃料タンクを保護するために、燃料タンクの外側側面即ち基部の側端側の側面に側面板を取り付けている。この側面板は、燃料タンクの側面上部をも保護するため燃料タンクの側面を覆い、その上端部は燃料タンクの上方即ち基部の上方にまで突出している。従って基部の一側端側の上面に固定されているピラーと側面板との間に隙間が生ずることになる。
【０００３】
しかしこの隙間は美観等の観点から好ましくはない。そこで従来よりこの隙間を覆うためにピラーカバーを取り付けている。このピラーカバーはピラーの下端部を覆い、ピラカバーの下端部が側面板の上端部の裏面に当接するようにしている。つまり物が落ち込まないように隙間全体をピラーカバーで覆うようにしている。
【０００４】
【発明が解決しようとする課題】
しかし燃料タンクを覆う側面板を溶接する際に、側面板が歪んでしまうことがある。側面板が歪んでしまうと側面板とピラーとの隙間にばらつきが生ずる。この隙間のばらつきはピラーカバーの取付け作業に困難を生じさせていた。特に溶接の際の歪みにより側面板がピラーの側即ち内側に倒れ込むことがあり、ピラカバーを取り付けるのに必要な隙間が大きく変動する。つまりピラーカバーの下端部を隙間に差し込むとピラーカバーを固定する部分が浮いてしまい、うまくピラーカバーを固定することができないという問題が生じていた。
【０００５】
そこで本発明の目的は、溶接の際の歪みによってピラーと側面板との隙間が狭くなる等のばらつきが生じたとしても、取付け作業が容易に行える産業車両用ピラカバーを提供することにある。
【０００６】
【課題を解決するための手段】
本発明者は、ピラーと側面板との隙間が狭くてもピラーカバーの下端部をその隙間に差し込むことができ、ピラーカバーが弾性を有していればピラーカバーを固定でき、ピラーカバーの下端部を確実に側面板の上端部の裏面に当接するにはピラーカバーとピラーとの間に弾性材料を保持させ、弾性材料の有する弾力を利用すればよいと考えるに至った。
【０００７】
その結果本発明の発明者は、直接又は間接的に基部に固定される固定部と固定部と一体的に形成されかつ固定部に対して弾性的に揺動する側面板の上端部の裏面に当接しピラーの下端部を覆う被覆部とを有するカバー本体と、被覆部とピラーとの間に保持されて被覆部を側面板の上端部の裏面に付勢する弾性部材と、を備えていることを特徴とする産業車両用ピラーカバーを発明した。
【０００８】
即ち本発明の産業車両用ピラーカバー（「ピラーカバー」という）は、固定部と固定部と一体的に形成されかつ固定部に対して弾性的に揺動する被覆部とを有するカバー本体と、被覆部とピラーとの間に保持された弾性部材とを備えていることを特徴とする。
【０００９】
被覆部を弾性的に揺動することができれば、固定部を基部に固定することは容易であり、被覆部とピラーの下端部との間に弾性部材を保持し、弾性部材の弾力を利用して被覆部を外側即ち側面板の上端部の側に付勢するようにすれば確実にピラーカバーの下端部を側面板の上端部の裏面に当接することができる。
【００１０】
即ち本発明のピラーカバーにおいてはまずピラーカバーの下端部をピラーと側面板との隙間に差し込み、ピラーカバーの下端部が側面板の上端部の裏面に当接し、ピラーの下端部を覆うようにする。その後ピラーカバーを固定することになるが、ピラーカバーの固定部が相手方固定部と離れていても、ピラーカバーの被覆部は固定部と一体的に形成され固定部に対して弾性的に揺動するので、固定部に相手方固定部の方向に圧力を加えることによって固定部を相手方固定部に接触させ、締結することが可能となる。また被覆部の裏面に弾性部材が取り付けられているのでその弾力により被覆部は側面板の上端部の裏面に付勢され、ピラーカバーの下端部は側面板の上端部の裏面に当接し続けることになる。
【００１１】
従って本発明のピラーカバーにおいては、ピラーと側面板との隙間が狭くても、ピラーカバーをその下端部が側面板の上端部の裏面に当接し、ピラーの下端部を覆うように取り付けることが容易になる。
【００１２】
【発明の実施の形態】
以下添付図面に示す一実施例に参照しつつ、本発明のピラーカバー１０の実施の形態を説明する。図１はピラーカバー１０が取り付けられたフォークリフトの側面図である。図２は取り付けられたピラーカバー１０、ピラー２０、側面板３０を表す図である。図３は図２に示されたＡ−Ａ’で切断した断面図である。図４は図２に示されたＢ−Ｂ’で切断した断面図である。
【００１３】
本発明のピラーカバー１０は、基部と、基部の一側端側の上面に固定されたピラー２０と、基部の一側端側の側面を覆い上端部が該基部より上方に突出した側面板３０とを有する産業車両に取り付けられて使用される。ピラーカバー１０は産業車両の側面板３０の上端部の裏面にピラーカバー１０の下端部が当接して、ピラー２０の下端部を覆うように取り付けられる。ピラーカバー１０が取り付けられることによって、ピラー２０と側面板３０との隙間が覆われることになる。
【００１４】
そして本発明のピラーカバー１０は、固定部１３と固定部１３と一体的に形成されかつ固定部１３に対して弾性的に揺動する被覆部１２とを有するカバー本体と、被覆部１２とピラー２０との間に保持されて被覆部１２を側面板３０の上端部の裏面に付勢する弾性部材１１とを備えている。
【００１５】
図１、図２において示す実施例では、ピラーカバー１０は、右側に取り付けられ、右ピラー２０の下端部を覆い、ピラーカバー１０の下端部は右側面板３０の上端部の裏面に当接している。しかしピラーカバー１０の取付けは右側に限定されず、左側であっても良い。
【００１６】
ピラーカバー１０は図２においては固定部１３がピラー２０の裏面に溶接されている相手方固定部４０に固定されている。但し相手方固定部４０は特にピラー２０の裏面に設けれている必要はなく、基部自体に設けられていても良い。固定部１３と基部とが直接的あるいは間接的に固定されるように設けられていればよい。
【００１７】
固定部１３は図２においては相手方固定部４０と２つのボルト穴にボルトが挿入されて締結される構造をとっている。但し特に２つのボルト穴である必要はなく、必要に応じてボルト穴を設ければよい。また特にボルトでなければならない必要はなく、他の手法で固定することも可能である。
【００１８】
被覆部１２はその下端部が側面板３０の上端部の裏面に当接しており、ピラー２０の下端部を覆っている。従ってピラーカバー１０は、図２、図３及び図４に示すようにピラー２０の下端部の前面及び側面を滑らかに覆い、側面板３０の上端部の裏面に当接できる大きさ、形状を有していればよい。またピラー２０の前面及び側面を覆うことができるように図４に示すように被覆部１２が内側に屈曲していればよい。この屈曲の程度はピラー２０の形状及び位置等、また側面板３０の位置及び形状等に応じて適切に定めればよい。おおよそ０〜１０度が好ましい。また被覆部１３の上方の縁端、後方の縁端は、図３、図４に示すように、作業の安全という点から内側に屈曲しているのが好ましい。更に被覆部の下方の縁端については、図３に示すように、側面板３０の上端部の裏面に当接するように内側に段差を設けるのが好ましい。
【００１９】
なおカバー本体は固定部１３と被覆部１２とを有し、一体的に形成されるが、このカバー本体はプレス等の周知の方法で形成すればよい。カバー本体の厚さは通常０．５〜２．３ｍｍ程度であればよい。なおカバー本体の材料としては弾性のある金属または樹脂を用いればよい。
【００２０】
被覆部１２の裏面には図４に示すように弾性部材１１が装着されている。弾性部材１１は被覆部１２とピラー２０との間の保持され、弾性部材１１の弾力によって被覆部１２を外側に付勢し、ピラーカバー１０の下端部が側面板３０の上端部の裏面に当接している。従って弾性部材１１の厚さは被覆部１２を外側に付勢し、ピラーカバー１０の下端部が側面板３０の上端部の裏面に当接する程度に厚くする必要がある。通常設計隙間＋５〜１０ｍｍ程度の厚さがあればよい。なお弾性部材１１の装着は接着剤を用いて接着する等適切な手段により行えばよい。弾性部材１１の材料はスポンジ、ゴム等の弾力性を有するものを用いればよいが、耐久性と弾力性からは多孔質の有機弾性体を用いるのが好ましい。
【００２１】
【発明の効果】
本発明のピラーカバー１０は、上述したようにピラー２０と側面板３０との隙間が狭くても、ピラーカバー１０をその下端部が側面板の上端部の裏面に当接し、ピラー２０の下端部を覆うように取り付けることが容易であるという効果を有する。
【図面の簡単な説明】
【図１】  フォークリフトの側面図である。
【図２】  ピラー、側面板、ピラーカバーを表した側面図である。
【図３】  Ａ−Ａ’の断面図である。
【図４】  Ｂ−Ｂ’の断面図である。
【符号の説明】
１０：ピラーカバー          １１：弾性部材
１２：被覆部                １３：固定部
２０：ピラー
３０：側面板
４０：相手方固定部
【図１】
0004158290.tif 000002
【図２】
0004158290.tif 000003
【図３】
0004158290.tif 000004
【図４】
0004158290.tif 000005